(57)【要約】【課題】門の開閉移動時には上下方向に移動可能であり、門を閉じた際には前記上下方向の移動が規制される折戸を備えた門ユニットを提供する。【解決手段】複数のパネル体がヒンジを介して回動自在に連結された折戸と、前記折戸にて門を閉ざした状態で当該折戸の両側に配置される一対の門構成部材と、を有する門ユニットであって、前記折戸は、連結される前記複数のパネル体のうちの連結方向における一方側に配置されるパネル体が、一方の前記門構成部材に回動自在に固定され、前記複数のパネル体のうちの隣接する２枚のパネル体は、互いに上下方向に相対移動自在に構成されており、前記門を閉ざした状態で、前記隣接する２枚のパネル体のうちの、他方の前記門構成部材側に配置される他方側パネル体の上方への移動を規制し、前記門を開く動作に伴って規制が解除される規制部を有する。【選択図】図３
2009221807.tif 000002
【特許請求の範囲】
【請求項１】
複数のパネル体がヒンジを介して回動自在に連結された折戸と、前記折戸にて門を閉ざした状態で当該折戸の両側に配置される一対の門構成部材と、を有する門ユニットであって、
前記折戸は、連結される前記複数のパネル体のうちの連結方向における一方側に配置されるパネル体が、一方の前記門構成部材に回動自在に固定され、
前記複数のパネル体のうちの隣接する２枚のパネル体は、互いに上下方向に相対移動自在に構成されており、
前記門を閉ざした状態で、前記隣接する２枚のパネル体のうちの、他方の前記門構成部材側に配置される他方側パネル体の上方への移動を規制し、前記門を開く動作に伴って規制が解除される規制部を有することを特徴とする門ユニット。
【請求項２】
請求項１に記載の門ユニットであって、
前記他方側パネル体は、地面に接地するキャスターを備えていることを特徴とする門ユニット。
【請求項３】
請求項１または請求項２に記載の門ユニットであって、
前記規制部は、前記門を閉ざした状態で前記他方側パネル体と、当該他方側パネル体と隣接する部材とのうちのいずれか一方に設けられ、前記門を閉ざした状態にて前記他方側パネル体と、当該他方側パネル体と隣接する部材との他方に向かって突出する突起と、
前記他方に設けられ、前記門を閉ざした状態にて前記突起が挿入される孔と、で構成されていることを特徴とする門ユニット。
【請求項４】
請求項１または請求項２に記載の門ユニットであって、
前記規制部は、前記門を閉ざした状態で、前記他方側パネル体と、当該他方側パネル体と隣接する部材とのうちのいずれか一方に設けられ、前記門を閉ざした状態にて当該他方側パネル体と隣接する部材とのうちの他方に向かって突出する突起と、
前記他方に設けられ、前記門を閉ざした状態にて前記一方に向かって突出し、前記突起の上方に配置される規制突起と、で構成されていることを特徴とする門ユニット。
【請求項５】
請求項３または請求項４に記載の門ユニットであって、
前記門を閉ざした状態で前記他方側パネル体と隣接する部材は、前記一方の門構成部材側に設けられた一方側パネル体であることを特徴とする門ユニット。
【請求項６】
請求項３または請求項４に記載の門ユニットであって、
前記門を閉ざした状態で前記他方側パネル体と隣接する部材は、前記他方の前記門構成部材であることを特徴とする門ユニット。
【請求項７】
請求項１乃至請求項６のいずれかに記載の門ユニットであって、
前記ヒンジは、前記隣接する２枚のパネル体のうちのいずれか一方のパネル体に固定され、他方のパネル体には上下方向にスライド自在に係合されていることを特徴とする門ユニット。
【発明の詳細な説明】
【技術分野】
【０００１】
本発明は、複数のパネル体がヒンジを介して回動自在に連結された折戸を有する門ユニットに関する。
【背景技術】
【０００２】
複数のパネル体がヒンジを介して回動自在に連結された折戸を有する門ユニットとしては、例えば間口の広い門に、一側を門柱に枢着した門扉の他側に他の門扉の一側を蝶番で回動自在に連結した、二連式開き折戸が知られている（例えば、特許文献１参照）。このような折戸は、ヒンジに作用する他の門扉の重量を軽減するために他の門扉の下部に設けた車輪を接地させている。このため、他の門扉は、門入口地面の傾斜に応じて上下動可能に支持されている。
【特許文献１】実公昭６１−３９８３６号公報
【発明の開示】
【発明が解決しようとする課題】
【０００３】
上記従来の折戸は、他の門扉が上下動可能に支持されているので、他の門扉を上方に持ち上げることにより、取り外されてしまう畏れがある。また、門扉は、例えば開閉される端部に位置する門扉と、門を閉じた際に隣接する支柱または門扉との間に打掛錠が設けられている場合があるが、上下動可能な門扉を持ち上げることにより打掛錠を外されてしまう畏れがあるという課題がある。
【０００４】
本発明は、かかる課題に鑑みてなされたものであり、その目的とするところは、門の開閉移動時には上下方向に移動可能であり、門を閉じた際には前記上下方向の移動が規制される折戸を備えた門ユニットを提供することにある。
【課題を解決するための手段】
【０００５】
かかる目的を達成するために本発明の門ユニットは、複数のパネル体がヒンジを介して回動自在に連結された折戸と、前記折戸にて門を閉ざした状態で当該折戸の両側に配置される一対の門構成部材と、を有する門ユニットであって、前記折戸は、連結される前記複数のパネル体のうちの連結方向における一方側に配置されるパネル体が、一方の前記門構成部材に回動自在に固定され、前記複数のパネル体のうちの隣接する２枚のパネル体は、互いに上下方向に相対移動自在に構成されており、前記門を閉ざした状態で、前記隣接する２枚のパネル体のうちの、他方の前記門構成部材側に配置される他方側パネル体の上方への移動を規制し、前記門を開く動作に伴って規制が解除される規制部を有することを特徴とする門ユニットである。
【０００６】
このような門ユニットによれば、門を閉ざした状態で、他方側パネル体の上方への移動を規制する規制部を有しているので、門を閉ざした際には、他方側パネル体が上方に移動されることを防止することが可能である。このため、例えば、打掛錠や落とし錠が設けられた門ユニットの場合の施錠状態が維持されるので防犯性が向上する。このように、門の開閉移動時には上下方向に移動可能であり、門を閉じた際には上下方向の移動が規制される折戸を備えた門ユニットを提供することが可能である。
【０００７】
かかる門ユニットであって、前記他方側パネル体は、地面に接地するキャスターを備えていることが望ましい。  
このような門ユニットによれば、他方側パネル体が地面に接地するキャスターを有しているので、地面が門の内側から外側に向かって低くなる傾斜を有する場合であっても、他方側パネル体が傾斜に応じて上下動して、滑らかに折戸を開閉することが可能であるとともに、一方の門構成部材に回動自在に固定されている部位に作用する負荷を軽減することが可能である。
【０００８】
かかる門ユニットであって、前記規制部は、前記門を閉ざした状態で前記他方側パネル体と、当該他方側パネル体と隣接する部材とのうちのいずれか一方に設けられ、前記門を閉ざした状態にて前記他方側パネル体と、当該他方側パネル体と隣接する部材との他方に向かって突出する突起と、前記他方に設けられ、前記門を閉ざした状態にて前記突起が挿入される孔と、で構成されていることが望ましい。  
このような門ユニットによれば、門を閉ざした状態で、他方側パネル体と当該他方側パネル体と隣接する部材とのうちのいずれか一方に設けられた突起が、他方に設けられた孔に挿入される規制部が設けられているので、門を閉ざすことにより突起と孔とが係合して他方側パネル体の上方への移動を規制することが可能である。また、規制部は孔に突起が挿入されているだけなので門を開くことにより容易に規制を解除することが可能である。
【０００９】
かかる門ユニットであって、前記規制部は、前記門を閉ざした状態で、前記他方側パネル体と、当該他方側パネル体と隣接する部材とのうちのいずれか一方に設けられ、前記門を閉ざした状態にて当該他方側パネル体と隣接する部材とのうちの他方に向かって突出する突起と、前記他方に設けられ、前記門を閉ざした状態にて前記一方に向かって突出し、前記突起の上方に配置される規制突起と、で構成されていることとしてもよい。  
このような門ユニットによれば、門を閉ざした状態で、他方側パネル体と当該他方側パネル体と隣接する部材とのうちのいずれか一方に設けられた突起の上方に、他方に設けられた規制突起が配置されるので、門を閉ざした状態で他方側パネル体を上方に移動させようとすると突起と規制突起とが係合するため、他方側パネル体の上方への移動を規制することが可能である。また、規制部は突起と、突起の上方に配置される規制突起とで構成されているので、門を開くことにより容易に規制を解除することが可能である。
【００１０】
かかる門ユニットであって、前記門を閉ざした状態で前記他方側パネル体と隣接する部材は、前記一方の門構成部材側に設けられた一方側パネル体であることが望ましい。  
このような門ユニットによれば、他方側パネル体を隣接する一方側パネル体により他方側パネル体の上方への移動を規制することが可能である。このとき、他方側パネル体と一方側パネル体とは連結された折戸なので、互いの位置合わせが容易である。
【００１１】
かかる門ユニットであって、前記門を閉ざした状態で前記他方側パネル体と隣接する部材は、前記他方の前記門構成部材であることとしてもよい。  
このような門ユニットによれば、閉ざした状態で他方側パネル体を隣接する他方の門構成部材により他方側パネル体の上方への移動を規制することが可能である。
【００１２】
かかる門ユニットであって、前記ヒンジは、前記隣接する２枚のパネル体のうちのいずれか一方のパネル体に固定され、他方のパネル体には上下方向にスライド自在に係合されていることが望ましい。  
このような門ユニットによれば、例えばヒンジの軸部にて上下方向にスライドさせないので、軸部に軸方向と異なる方向の負荷が直接作用しないため、軸部への負荷を軽減することが可能である。
【発明の効果】
【００１３】
本発明によれば、門の開閉移動時には上下方向に移動可能であり、門を閉じた際には前記上下方向の移動が規制される折戸を備えた門ユニットを提供することができるという効果がある。
【発明を実施するための最良の形態】
【００１４】
以下、本発明の一実施形態に係る門ユニットについて図面を参照して説明する。  
本実施形態の門ユニット１０は、区画された敷地、例えば建物が建てられている敷地と敷地外とを仕切り、敷地への出入り口となる門に設けられている。建物が建てられている敷地は、建物側への水の進入を防ぐために、建物側から敷地外方向に向かって順次低くなるように傾斜が設けられており、本実施形態の門ユニット１０は、傾斜の方向とほぼ直行する方向に間隔を隔てて、門を閉ざすための門扉２０を支持する２本の門柱１２が配置されている。
【００１５】
以下の説明においては、区画された敷地への出入り口において左右となる方向を見付け方向、敷地の内外となる方向を見込み方向、上下となる方向を上下方向として説明する。そして、建物が建てられている敷地内側から門ユニット１０を見た状態について主に説明し、門扉２０の手前側を内側、門扉２０より奥側を外側として示す。
【００１６】
本実施形態の門ユニット１０は、図１に示すように、門の両脇に立設された一対の門柱１２と、一方の門柱１２ａに固定用ヒンジ１４を介して回動自在に固定された折戸２２と、他方の門柱１２ｂに固定用ヒンジ１４を介して回動自在に固定された扉２８と、を有している。すなわち、左右の門柱１２ａ、１２ｂ間にて、折戸２２と扉２８とで構成される門扉がほぼ直線状に配置されることにより門が閉ざされる。ここで、折戸２２が固定されている一方（本実施形態では左側）の門柱（以下、左門柱という）１２ａと、他方（本実施形態では右側）の門柱（以下、右門柱という）１２ｂ及び、右門柱１２ｂに固定された扉２８が、門を閉ざした状態にて折戸２２の両側に配置される一対の門構成部材の一例である。折戸２２を構成する２枚のパネル体２１と扉２８とはほぼ同一の構成である。また、各パネル体２１には、上下方向に沿って、固定用ヒンジ１４及び後述する連結用ヒンジ１８が係合可能な溝部２１ａが設けられている。溝部２１ａの上端部と下端部とは開放されており、係合される固定用ヒンジ１４及び連結用ヒンジ１８が挿抜可能である。また、溝部２１ａには、固定用ヒンジ１４及び連結用ヒンジ１８をねじにて固定することも、上下方向に移動可能に係合させることも可能に形成されている。
【００１７】
本実施形態の折戸は２枚のパネル体が連結用ヒンジ１８を介して連結されており、連結された２枚のパネル体２１のうち連結方向における一方側（図１における見付け方向左側）として左側端に配置されるパネル体２１が、一方の門構成部材としての左門柱１２ａに２箇所にて固定用ヒンジ１４を介して回動自在に固定されている。
【００１８】
折戸の２枚のパネル体２１のうちの、左門柱１２ａに固定された一方側パネル体としてのパネル体２１（２１１）の左側の端には、図２に示すように、固定用ヒンジ１４の軸部（不図示）に回動自在に設けられた２枚の板部１４ａ、１４ｂのうちの一方の板部１４ａが、溝部２１ａに挿入されたプレートナット１５との間にパネル体２１の縁部２１ｃを挟持するようにねじにて固定されている。固定用ヒンジ１４の他方の板部１４ｂは、左門柱１２ａに固定されている。このため、折戸２２の左側のパネル体２１は、固定用ヒンジ１４の軸を中心に回動自在に設けられているが上下方向には移動しないように構成されている。以下の説明では、左側のパネル体を固定パネル体２１１ともいう。
【００１９】
また、固定パネル体２１１の連結方向他方側、つまり他方側パネル体としてのパネル体２１（２１２）と連結されている側の端に設けられた溝部２１ａには、図３に示すように、ヒンジとしての連結用ヒンジ１８の軸部に回動自在に設けられた２枚の板部１８ａ、１８ｂのうちの一方の板部１８ｂが、溝部２１ａに挿入されたプレートナット１５との間にパネル体２１の縁部２１ｃを挟持するようにねじにて固定されている。
【００２０】
折戸２２の２枚のパネル体２１のうちの、固定パネル体２１１と連結されて固定パネル体２１１の右側（他方の門構成部材側）に配置される他方側パネル体としてのパネル体２１（２１２）の左側（連結方向一方側）の端に設けられた溝部２１ａには、図３に示すように固定パネル体２１１に固定された連結用ヒンジ１８の軸部に回動自在に設けられた２枚の板部１８ａ、１８ｂのうちの他方の板部１８ａが一部を溝部２１ａに収容されつつ、溝部２１ａに沿って上下方向に移動可能に係合されている。このため、図１において固定パネル体２１１の右側（連結方向他方側）に配置されるパネル体２１（２１２）は、固定パネル体２１１に固定された連結用ヒンジ１８の他方側の板部１８ａに係合されつつ、上下に移動することにより、連結された２枚のパネル体２１は相対的に上下方向に移動可能となる。ここで、固定パネル体２１１に回動自在に連結されて、固定パネル体２１１に対して上下方向に移動可能なパネル体２１を、以下の説明では移動パネル体２１２ともいう。
【００２１】
移動パネル体２１２の下端には、固定パネル体２１１側の端部近傍にキャスター２３が設けられている。そして、移動パネル体２１２と固定パネル体２１１とが連結用ヒンジ１８にて上下方向に相対移動可能且つ回動可能に係合された際には、キャスター２３が地面に接地されて移動パネル体２１２がキャスター２３に支持される。このため、折戸２２が折り畳まれる際には、移動パネル体２１２の面が見付け方向と交差するように傾くとともにキャスター２３が見込み方向に移動することになる。
【００２２】
固定パネル体２１１及び移動パネル体２１２には、固定パネル体２１１と移動パネル体２１２とがほぼ直線状に配置されて門を閉じた状態にて、下端から下方に突出して地面に挿入される落とし棒２４が設けられており、固定パネル体２１１及び移動パネル体２１２の水平方向の移動が規制されるように構成されている。
【００２３】
右門柱１２ｂには、扉２８が、固定パネル体２１１と同様に固定用ヒンジ１４にて回動自在に固定されている。
【００２４】
扉２８の戸先側には、折戸２２の最も他方の門構成部材側、すなわち移動パネル体２１２の連結方向他方側（見付け方向において連結されていない側）の端部との間にて、打ち掛け錠３０と閂錠３２とが設けられている。打ち掛け錠３０は、移動パネル体２１２側に請掛金物３０ａが設けられ、扉２８側には、敷地内側に設けられたレバー３０ｂの操作により請掛金物３０ａの上方から移動して当該請掛金物３０ａに係合される打掛金物３０ｃが設けられている。閂錠３２は、取手３２ａを備えた閂（不図示）が、見付け方向にスライド可能に設けられ、開錠時に扉２８側に収容されて、施錠時には移動パネル体２１２側に設けられた挿入部３２ｂに挿入されるように構成されている。
【００２５】
本実施形態の門ユニット１０には、門を閉ざした状態で移動パネル体２１２の上方への移動を規制し、門を開く動作に伴って規制が解除される規制部２５が設けられている。本実施形態では規制部２５は、折戸２２の固定パネル体２１１と移動パネル体２１２とが連結された部位に設けられている。
【００２６】
図３は、敷地外側から折戸２２の連結部分を見た図であり、図３において右側のパネル体が固定パネル体２１１、左側のパネル体が移動パネル体２１２である。図３に示すように、規制部２５は他方側パネル体としての移動パネル体２１２と、門を閉じた状態で移動パネル体２１２と隣接する部材としての固定用パネル体２１１に固定されて設けられた連結用ヒンジ１８の板部１８ｂにて形成されている。
【００２７】
連結用ヒンジ１８は、回動軸（不図示）を中心に回動自在に設けられた２枚の板部１８ａ、１８ｂのうち固定パネル体２１１に固定される板部１８ｂが、移動パネル体２１２の溝部２１ａに係合されて移動可能な板部１８ａより上下方向に長く形成されている。移動パネル体２１２に係合される板部１８ａは、固定パネル体２１１に固定される板部１８ｂの上下方向の長さのほぼ半分である。そして、連結用ヒンジ１８を閉じた状態、すなわち、固定パネル体２１１と移動パネル体２１２とが直線状に配置される状態では、固定パネル体２１１側の板部１８ｂは下側の約半分の領域が移動パネル体２１２側の板部１８ａと対面し、上半分の領域は、移動パネル体２１２の溝部２１ａと対面する。ここで、固定パネル体２１１と移動パネル体２１２とが直線状に配置される状態とは、折戸２２にて門を閉ざした状態となる。
【００２８】
固定パネル体２１１側の板部１８ｂにて移動パネル体２１２の溝部２１ａと対面する上側の部位には、折戸２２が門を閉ざした状態にて、移動パネル体２１２側に向かって突出する突起１８ｃが設けられている。一方、固定パネル体２１１側の板部１８ｂの上側の領域と対面する移動パネル体２１２の溝部２１ａには、突起１８ｃが挿入される長孔２１ｂが設けられている。このため、折戸２２にて門を閉ざした状態では、図４に示すように、固定パネル体２１１側に設けられた突起１８ｃが、移動パネル体２１２側に設けられた長孔２１ｂに挿入されるため、移動パネル体２１２の上下方向の移動が規制される。すなわち、門を閉ざした状態では、移動パネル体２１２を上方に移動させることができないので、打ち掛け錠３０をかけた場合に、その施錠状態を維持することが可能である。また、規制部２５は長孔２１ｂに突起１８ｃが挿入されているだけなので門を開くことにより容易に規制を解除することが可能である。
【００２９】
本実施形態の門ユニット１０によれば、門を閉ざした状態で、移動パネル体２１２の上方への移動を規制する規制部２５を有しているので、門を閉ざした際には、移動パネル体２１２が上方に移動されることを防止することが可能である。このため、例えば、打掛け錠３０や落とし棒２４が設けられた本門ユニット１０は、その施錠状態が維持されるので防犯性が向上する。このように、門の開閉移動時には上下方向に移動可能であり、門を閉じきった際には上下方向の移動が規制される折戸２２を備えた門ユニット１０を提供することが可能である。
【００３０】
そして、移動パネル体２１２が地面に接地するキャスター２３を有しているので、門の地面が門の内側から外側に向かって低くなる傾斜を有していても、左門柱１２ａに固定されている固定パネル体２１１と相対移動可能に係合された移動パネル体２１２が上下方向に移動しつつキャスター２３は地面と接地した状態が保たれ、滑らかに折戸２２を開閉することが可能である。そして、折戸２２が折り畳まれる際に、移動パネル体２１２が地面から浮き上がらないので、固定パネル体２１１を支持している部位、すなわち固定用ヒンジ１４に作用する負荷を軽減することが可能である。
【００３１】
また、連結用ヒンジ１８は、固定パネル体２１１側に固定され、移動パネル体２１２側には上下方向にスライド自在に係合されている。このため、連結用ヒンジ１８の軸部にて上下方向にスライドさせないので、軸部に軸方向と異なる方向の負荷が直接作用しない。このため、連結用ヒンジ１８の軸部への負荷を軽減することが可能である。耐久性の高い門ユニット１０を提供することが可能である。
【００３２】
上記実施形態においては、固定パネル体２１１と移動パネル体２１２とを連結する連結用ヒンジ１８を、固定パネル体２１１側にて固定される板部１８ｂが移動パネル体２１２側にて移動可能な板部１８ａより上方に長い構成とし、板部１８ｂの上方に突出している部位と移動パネル体２１２の溝部２１ａの長孔２１ｂとの間にて係合させる規制部２５の例について説明したが、この限りではない。例えば、図５に示すように、固定パネル体２１１側にて固定される板部１８ｂと移動パネル体２１２側にて移動可能な板部１８ａとを同じ長さとすると共に、板部１８ａ、１８ｂを上下方向に位置をずらして配置し、上側に位置する固定パネル体２１１側の板部１８ｂに設けられた突起１８ｃと、移動パネル体２１２側の板部１８ａの上方に形成された長孔２１ｂとを係合させて規制部２５を構成しても良い。また、図６に示すように、連結用ヒンジ１８の板部１８ｂを移動パネル体２１２に固定し、移動可能な板部１８ａを固定パネル体２１１の溝部２１ａと係合させて、移動パネル体２１２と連結ヒンジ１８とが一体となって固定パネル体２１１に対して上下方向に移動可能な構成でもよい。この構成では、移動パネル体２１２側の板部１８ｂ側に突起１８ｃを設け、固定パネル体２１１の溝部２１ａに長孔２１ｂを形成して、これらを係合させて規制部２５とする。
【００３３】
また、規制部２５の構成は、突起１８ｃと長孔２１ｂとに限らず、例えば、図７に示すように、連結用ヒンジ１８の移動可能に係合された板部１８ａの上方の溝部２１ａに設けられた突起１８ｄと、連結用ヒンジ１８の板部１８ｂに設けられ、門が閉ざされた際に、突起１８ｄの上方にて突起１８ｄと係合する規制突起１８ｅとにて規制部２５を構成しても良い。この場合には、門を閉ざした状態で、移動パネル体２１２に設けられた突起１８ｄの上方に、固定パネル体２１１側に設けられた規制突起１８ｅが配置されるので、門を閉ざした状態で移動パネル体２１２を上方に移動させようとすると突起１８ｄが規制突起１８ｅと係合する。このため、移動パネル体２１２の上方への移動を規制することが可能である。また、規制部２５は突起１８ｄと、門を閉ざした状態で突起１８ｄの上方に配置される規制突起１８ｅとで構成されているので、門を開くことにより容易に規制を解除することが可能である。尚、固定パネル体２１１側の板部１８ｂを図３の第１実施例のように長く形成しても良い。
【００３４】
また、連結用ヒンジ１８とは、別に、規制部２５を構成しても良い。例えば、図８に示すように、連結される２枚のパネル体２１の一方の溝部２１ａに、ねじにて固定可能な規制突起部材２６を取り付け、他方の溝部２１ａに規制孔部材２７を取り付け、規制突起部材２６と規制孔部材２７とを係合させることにより移動パネル体の上方への移動を規制しても良い。また、図９に示すように、連結される２枚のパネル体２１の溝部２１ａに、ねじにて固定可能な一対の規制突起部材１７を互いに取り付け、規制突起部材１７同士を係合させることにより移動パネル体の上方への移動を規制しても良い。さらに、図１０に示すように、連結される２枚のパネル体２１の溝部２１ａに直接、突起部２９をそれぞれ形成し、突起部２９同士を係合させることにより移動パネル体の上方への移動を規制しても良い。
【００３５】
上記実施形態では、折戸２２を２枚のパネル体２１にて構成した例について説明したが、これに限るものではなく、３枚以上のパネル体２１にて構成してもよい。この場合には、連結用ヒンジ１８にて連結された複数のパネル体のうちの連結方向における一方側に配置されて門構成部材に固定されるパネル体を除くパネル体は、いずれも上下動可能に設ける。そして、隣接するパネル体のうち連結方向において他方側、つまり、固定されていない側（他方の門構成部材）に位置するパネル体は、固定されている（一方の門構成部材）側に位置するパネル体との間にて形成されている規制部により、連結方向において固定されていない側（他方の門構成部材）に位置するパネル体の上方への移動が規制されている。
【００３６】
また、規制部２５は、必ずしも折戸２２を構成するパネル体同士の間に形成されていなくとも良い。例えば、折戸が有するパネル体のうちの連結方向における最も他方側、つまり最も扉２８側に設けられた移動パネル体２１２の上方への移動を規制するための規制部２５は、門を閉ざした状態で移動パネル体２１２と隣接する部材となる他方の門構成部材としての扉２８との間にて形成されていても良い。例えば、図１１に示すように、移動パネル体２１２及び扉２８のいずれか一方に突起１９ａを設け、他方に、門を閉ざした状態で突起１９ａが挿入される挿入部１９ｂが設けられていても良い。この場合には、折戸２２が閉じられた状態で扉２８が開閉できるように、突起１９ａは、見込み方向に沿って形成され扉２８の回動方向に開放された挿入部１９ｂに挿入される。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３８】
【図１】本実施形態に係る門ユニットの斜視図である。
【図２】固定用ヒンジを説明するための斜視図である。
【図３】折戸の連結用ヒンジ及び規制部を説明するための斜視図である。
【図４】連結用ヒンジ及び規制部を説明するための平面図である。
【図５】規制部の第１変形例を示す斜視図である。
【図６】規制部の第２変形例を示す斜視図である。
【図７】規制部の第３変形例を示す斜視図である。
【図８】規制部の第４変形例を示す斜視図である。
【図９】規制部の第５変形例を示す斜視図である。
【図１０】規制部の第６変形例を示す斜視図である。
【図１１】規制部の第７変形例を示す斜視図である。
【符号の説明】
【００３９】
１０  門ユニット、１２  門柱、１２ａ  左門柱、１２ｂ  右門柱、
１７  規制突起部材、１８  連結用ヒンジ、１８ａ  板部、１８ｂ  板部、
１８ｃ  突起、１８ｄ  突起、１８ｅ  規制突起、１９ａ  突起、１９ｂ  挿入部、
２１  パネル体、２１ａ  溝部、２１ｂ  長孔、２２  折戸、２３  キャスター、
２５  規制部、２６  規制突起部材、２７  規制孔部材、２８  扉、２９  突起部、
２１１  固定パネル体、２１２  移動パネル体
【図１】
2009221807.tif 000003
【図２】
2009221807.tif 000004
【図３】
2009221807.tif 000005
【図４】
2009221807.tif 000006
【図５】
2009221807.tif 000007
【図６】
2009221807.tif 000008
【図７】
2009221807.tif 000009
【図８】
2009221807.tif 000010
【図９】
2009221807.tif 000011
【図１０】
2009221807.tif 000012
【図１１】
2009221807.tif 000013